(57)【特許請求の範囲】
【請求項１】
回路基板に実装される第１の発光部品及び第２の発光部品のそれぞれに対して配線コードを電気的に接続させるパチンコ機の配線構造において、
前記配線コードに設けられた第１の端子と、
前記第１の端子に設けられるとともに前記配線コードと電気的に接続する第１の導電ピンと、
第２の導電ピンを備え、前記第１の端子と別体に形成された第２の端子と、
前記回路基板において離間して形成された第１の挿通孔及び第２の挿通孔とを備え、
前記第１の挿通孔に前記第１の導電ピンを挿通させることにより前記回路基板の反対側へ突出した前記第１の導電ピンに前記第１の発光部品を挿着することによって、前記第１の発光部品に対して前記配線コードを電気的に接続させ、
前記第２の挿通孔に前記第２の導電ピンを挿通させることにより前記回路基板の反対側へ突出した前記第２の導電ピンに前記第２の発光部品を挿着させ、
前記回路基板上には、前記第１の挿通孔への挿通状態にある前記第１の導電ピンと前記第２の挿通孔への挿通状態にある前記第２の導電ピンとを電気的に接続するプリント配線が設けられており、
前記第２の発光部品と前記配線コードとは、前記第１の導電ピン及び前記プリント配線並びに前記第２の導電ピンを介して電気的に接続されることを特徴とするパチンコ機の配線構造。
【発明の詳細な説明】
【０００１】
【発明の属する技術分野】
本発明は、回路基板に実装される発光部品に対して配線コードを電気的に接続させるパチンコ機の配線構造に関する。
【０００２】
【従来の技術】
従来、回路基板に実装される発光部品に対して配線コードを電気的に接続させるパチンコ機の配線構造については、例えば、実公平４−３３８９４号公報に記載されたパチンコ機用打玉入賞装置の配線板がある。すなわち、パチンコ機用打玉入賞装置の配線板とは、図６に示すように、基板１００の前面側に突出してはんだ付けされる２本一組の複数組の導電ピン１０１にランプ１０２を挿入するとともに、２本一組の複数組の導電ピン１０１のうち少なくとも一組の導電ピン１０１の末端を基板１００の裏面側に突出させるようにして、配線コード１０３のカップラー１０４をかかる導電ピン１０１に直接に接続させるようにしたものである。
【０００３】
これにより、図６に示すパチンコ機用打玉入賞装置の配線板においては、基板１００に実装されるランプ１０２に対して配線コード１０３を電気的に接続させることができる。さらに、ヘッダーの使用が不要となると同時にはんだ付け個所も少なくて済み、製造コストを著しく低くすることができる。
【０００４】
【発明が解決しようとする課題】
しかしながら、従来技術においては、２本一組の複数組の導電ピン１０１は、必ず、基板１００に対してはんだ付けしなければならない。特に、パチンコ機の製造工程においては、基板１００に実装されるランプ１０２に対して配線コード１０３を電気的に接続させる際の作業は手作業で行われることが多いので、はんだ付けの個所がある限り、はんだ付けの失敗による不良品をなくすことはできない。
【０００５】
そこで、本発明は、上述した問題点を解決するためになされたものであり、回路基板に実装される発光部品に対して配線コードを電気的に接続させる際のはんだ付けを不要としたパチンコ機の配線構造を提供することを目的とする。
【０００６】
【課題を解決するための手段】
この目的を達成するために成された請求項１に係る配線構造は、回路基板に実装される第１の発光部品及び第２の発光部品のそれぞれに対して配線コードを電気的に接続させるパチンコ機の配線構造において、前記配線コードに設けられた第１の端子と、前記第１の端子に設けられるとともに前記配線コードと電気的に接続する第１の導電ピンと、第２の導電ピンを備え、前記第１の端子と別体に形成された第２の端子と、前記回路基板において離間して形成された第１の挿通孔及び第２の挿通孔とを備え、前記第１の挿通孔に前記第１の導電ピンを挿通させることにより前記回路基板の反対側へ突出した前記第１の導電ピンに前記第１の発光部品を挿着することによって、前記第１の発光部品に対して前記配線コードを電気的に接続させ、前記第２の挿通孔に前記第２の導電ピンを挿通させることにより前記回路基板の反対側へ突出した前記第２の導電ピンに前記第２の発光部品を挿着させ、前記回路基板上には、前記第１の挿通孔への挿通状態にある前記第１の導電ピンと前記第２の挿通孔への挿通状態にある前記第２の導電ピンとを電気的に接続するプリント配線が設けられており、前記第２の発光部品と前記配線コードとは、前記第１の導電ピン及び前記プリント配線並びに前記第２の導電ピンを介して電気的に接続されることを特徴とする。
【０００７】
【０００８】
【０００９】
【００１０】
このような構成を有する本発明のパチンコ機の配線構造では、第１の端子が備える第１の導電ピンと第２の端子が備える第２の導電ピンを回路基板の各挿通孔に挿通させることにより、第１の導電ピン及び第２の導電ピンを回路基板の反対側へ突出させる。そして、第１の導電ピン及び第２の導電ピンの突出部分に各発光部品を挿着させる。このとき、第１の導電ピン及び第２の導電ピンは配線コードと電気的に接続されるので、回路基板に実装される各発光部品に対して配線コードを電気的に接続させることができる。
【００１１】
すなわち、本発明のパチンコ機の配線構造では、配線コードと電気的に接続される第１の導電ピン及び第２の導電ピンを回路基板の各挿通孔に挿通させることによって、回路基板の反対側から第１の導電ピン及び第２の導電ピンを突出させ、第１の導電ピン及び第２の導電ピンの突出部分に各発光部品を挿着させることによって、回路基板に実装される各発光部品に対して配線コードを電気的に接続させることができるので、回路基板に実装される各発光部品に対して配線コードを電気的に接続させる際のはんだ付けが不要となる。
特に、近年のパチンコ機においては、多くの発光部品を多様に配置することによって、遊技の盛り上げを行っているので、回路基板に実装される発光部品に対して配線コードを電気的に接続させる際のはんだ付けが不要になれば、パチンコ機の組立作業は大いに簡素化される。
【００１２】
【００１３】
さらに、配線コードが設けられた第１端子に導電ピンも設けることによって、導電ピンを配線コードに電気的に接続させる場合には、部品点数を減少させることができる。
【００１４】
【発明の実施の形態】
以下、本発明の実施の形態を図面を参照にして説明する。先ず、第１実施の形態のパチンコ機の配線構造について、図１〜図２を用いて説明する。第１実施の形態のパチンコ機の配線構造は、図１に示すように、回路基板１０に実装されるランプ１１に対して配線コード１２を電気的に接続させるパチンコ機の配線構造である。
【００１５】
また、図２に示すように、配線コードに１２設けられた第１端子１５Ａと、第１端子１５Ａが着脱する第２端子１４と、第２端子１４に設けられた導電ピン１３と、回路基板１０に設けられた挿通孔１６とを備えている。
【００１６】
そして、図１に示すように、第１端子１５Ａが第２端子１４に取り付けられることにより、第１端子１５Ａの配線コード１２と第２端子１４の導電ピン１３を電気的に接続させることができる。また、回路基板１０の挿通孔１６に第２端子１４の導電ピン１３を挿通させることにより回路基板１０の反対側へ第２端子１４の導電ピン１３を突出させる。さらに、かかる第２端子１４の導電ピン１３の突出部分にランプ１１を挿着させる。これにより、はんだを使用することなく、回路基板１０に実装されるランプ１１に対して配線コード１２を電気的に接続させることができる。
【００１７】
次に、第２実施の形態のパチンコ機の配線構造について、図３〜図４を用いて説明する。第２実施の形態のパチンコ機の配線構造は、図３に示すように、回路基板１０に実装されるランプ１１に対して配線コード１２を電気的に接続させるパチンコ機の配線構造である。
【００１８】
また、配線コード１２に設けられた第１端子１５Ｂと、第１端子１５Ｂに設けられるとともに配線コード１２と電気的に接続する導電ピン１３と、回路基板１０に設けられた挿通孔１６とを備えている。
【００１９】
そして、図３に示すように、回路基板１０の挿通孔１６に第１端子１５Ｂの導電ピン１３を挿通させることにより回路基板１０の反対側へ第１端子１５Ｂの導電ピン１３を突出させる。さらに、かかる第１端子１５Ｂの導電ピン１３の突出部分にランプ１１を挿着させる。これにより、はんだを使用することなく、回路基板１０に実装されるランプ１１に対して配線コード１２を電気的に接続させることができる。
【００２０】
以上詳細に説明したように、第１実施の形態のパチンコ機の配線構造では、第２端子１４の導電ピン１３を回路基板１０の挿通孔１６に挿通させることにより、第２端子１４の導電ピン１３を回路基板１０の反対側へ突出させる。そして、第２端子１４の導電ピン１３の突出部分にランプ１１を挿着させる。
【００２１】
このとき、導電ピン１３が設けられた第２端子１４に配線コード１２が設けられた第１端子１５Ａを取り付けることによって、第２端子１４の導電ピン１３は配線コード１２と電気的に接続されるので、回路基板１０に実装されるランプ１１に対して配線コード１２を電気的に接続させることができる。
また、配線コード１２が設けられた第１端子１５Ａを第２端子１４に取り付ける作業を最終的に行えば、パチンコ機の製造工程において、配線コード１２がその他の工程の作業の邪魔にならない。
【００２２】
また、第２実施の形態のパチンコ機の配線構造では、第１端子１５Ｂの導電ピン１３を回路基板１０の挿通孔１６に挿通させることにより、第１端子１５Ｂの導電ピンを回路基板１０の反対側へ突出させる。そして、第１端子１５Ｂの導電ピン１３の突出部分にランプ１１を挿着させる。
【００２３】
このとき、配線コード１２が設けられた第１端子１５Ｂに導電ピン１３も設けることによって、第１端子１５Ｂの導電ピン１３は配線コード１２と電気的に接続されるので、回路基板１０に実装されるランプ１１に対して配線コード１２を電気的に接続させることができる。
また、上述した第１実施の形態のパチンコ機の配線構造における第２端子１４を省くことができるので、部品点数を減少させることができる。
【００２４】
すなわち、本実施の形態のパチンコ機の配線構造では、配線コード１２と電気的に接続される第１端子１５Ｂ又は第２端子１４の導電ピン１３を回路基板１０の挿通孔１６に挿通させることによって、回路基板１０の反対側から第１端子１５Ｂ又は第２端子１４の導電ピン１３を突出させ、第１端子１５Ｂ又は第２端子１４の導電ピン１３の突出部分にランプ１１を挿着させることによって、回路基板１０に実装されるランプ１１に対して配線コード１２を電気的に接続させることができるので、回路基板１０に実装されるランプ１１に対して配線コード１２を電気的に接続させる際のはんだ付けが不要となる。
特に、近年のパチンコ機においては、多くのランプ１１を多様に配置することによって、遊技の盛り上げを行っているので、回路基板１０に実装されるランプ１１に対して配線コード１２を電気的に接続させる際のはんだ付けが不要になれば、パチンコ機の組立作業は大いに簡素化される。
【００２５】
尚、本発明は上記実施の形態に限定されるものでなく、その趣旨を逸脱しない範囲で様々な変更が可能である。
例えば、上記実施の形態においては、発光部品としてランプ１１を使用しているが、ダイオードを使用してもよい。
【００２６】
また、図５に示すように、第２実施の形態の回路基板１０において、導電ピン１３を設けた第３端子１７により別のランプ１１を実装させるとともに、第３端子１７の導電ピン１３と第１端子１５Ｂの導電ピン１３が通電するプリント配線１８を回路基板１０上に設ける。これにより、回路基板１０上のプリント配線１８を介し、回路基板１０に実装される別のランプ１１に対して配線コード１２を電気的に接続させることができ、このときも、はんだ付けが不要となる。尚、第１実施の形態の回路基板１０においても同様に行うことができる。
【００２７】
【発明の効果】
本発明のパチンコ機の配線構造では、配線コードと電気的に接続される第１の端子が備える第１の導電ピンと第２の端子が備える第２の導電ピンを回路基板の各挿通孔に挿通させることによって、回路基板の反対側から第１の導電ピン及び第２の導電ピンを突出させ、第１の導電ピン及び第２の導電ピンの突出部分に各発光部品を挿着させることによって、回路基板に実装される各発光部品に対して配線コードを電気的に接続させることができるので、回路基板に実装される各発光部品に対して配線コードを電気的に接続させる際のはんだ付けが不要となる。
特に、近年のパチンコ機においては、多くの発光部品を多様に配置することによって、遊技の盛り上げを行っているので、回路基板に実装される発光部品に対して配線コードを電気的に接続させる際のはんだ付けが不要になれば、パチンコ機の組立作業は大いに簡素化される。
【００２８】
【００２９】
さらに、配線コードが設けられた第１端子に導電ピンも設けることによって、導電ピンを配線コードに電気的に接続させる場合には、部品点数を減少させることができる。
【図面の簡単な説明】
【図１】  第１実施の形態のパチンコ機の配線構造を示した図である。
【図２】  第１実施の形態のパチンコ機の配線構造を示した分解組立図である。
【図３】  第２実施の形態のパチンコ機の配線構造を示した図である。
【図４】  第２実施の形態のパチンコ機の配線構造を示した分解組立図である。
【図５】  第２実施の形態のパチンコ機の配線構造の変形例を示した図である。
【図６】  従来技術のパチンコ機の配線構造を示した斜視図である。
【符号の説明】
１０            回路基板
１１            ランプ
１２            配線コード
１３            導電ピン
１４            第２端子
１５Ａ、１５Ｂ  第１端子
１６            挿通孔
【図１】
0004174572.tif 000002
【図２】
0004174572.tif 000003
【図３】
0004174572.tif 000004
【図４】
0004174572.tif 000005
【図５】
0004174572.tif 000006
【図６】
0004174572.tif 000007